(57)【特許請求の範囲】
【請求項１】
既設の谷樋の内側に敷いた可撓性の防水シートをシート固定具で前記谷樋に固定した谷樋改修構造であって、
前記シート固定具は、前記谷樋上方の屋根軒先間よりも幅狭の長尺形状に設けた固定具本体を有し、前記固定具本体の長手方向の一端部に第一保持部を備え、前記固定具本体の長手方向の他端部に第二保持部を備え、前記固定具本体に前記第一保持部と前記第二保持部との間隔を調整する調整部を備え、前記第一保持部によって前記谷樋の一方の内側面に前記防水シートの一側部分を押し当てて保持し、前記第二保持部によって前記谷樋の他方の内側面に前記防水シートの他側部分を押し当てて保持することを特徴とする谷樋改修構造。
【請求項２】
前記第一保持部と前記第二保持部とは、前記谷樋の前記内側面の上部と、前記谷樋の内側底面と前記内側面とのコーナー部分とに、前記防水シートを押し当てて保持することを特徴とする請求項１に記載の谷樋改修構造。
【請求項３】
前記固定具本体の前記一端部と前記他端部とにそれぞれ帯保持部を備えた前記シート固定具を、前記谷樋の長手方向に複数配置し、
前記谷樋の長手方向に延びた帯状部材を、前記谷樋の長手方向に並んだ各帯保持部に掛け渡して保持し、
前記帯状部材によって前記防水シートを前記谷樋の前記内側面に押し当てて保持することを特徴とする請求項１または２に記載の谷樋改修構造。
【請求項４】
カバー材保持部を備えた前記シート固定具を、前記谷樋の長手方向に複数配置し、
前記谷樋の長手方向に延びた板状のカバー材を、前記谷樋の長手方向に並んだ各カバー材保持部に掛け渡して保持するとともに、前記カバー材を前記谷樋上方の屋根軒先間の上方に保持することを特徴とする請求項１〜３のいずれかに記載の谷樋改修構造。
【発明の詳細な説明】
【技術分野】
【０００１】
本発明は、屋根軒先間の下方に配設されている既設の谷樋を改修した谷樋改修構造に関するものである。
【背景技術】
【０００２】
従来から、例えば特許文献１等で、既設の谷樋を改修した谷樋改修構造が提案されている。
【０００３】
この谷樋改修構造は、まず、谷樋上方の屋根軒先間から防水シートを谷樋内側に入れて、この防水シートを谷樋の内側に敷いた後で、新しい谷樋を屋根軒先間から谷樋内側に入れ、この新しい谷樋を防水シートの上に配設するというものである。
【先行技術文献】
【特許文献】
【０００４】
【特許文献１】特開平９−１１９１９７号公報
【発明の概要】
【発明が解決しようとする課題】
【０００５】
しかし、谷樋上方の屋根軒先間が狭いところでは、上述したような谷樋改修構造を用いることが難しいという問題があった。
【０００６】
そこで、上記事情を鑑みて、本発明は、谷樋上方の屋根軒先間が狭いところでも対応して改修することができて、既設の谷樋の防水性の回復を図ることができる谷樋改修構造を提案することを課題とする。
【課題を解決するための手段】
【０００７】
上記課題を解決するための本発明は、既設の谷樋の内側に敷いた可撓性の防水シートをシート固定具で前記谷樋に固定した谷樋改修構造であって、前記シート固定具は、前記谷樋上方の屋根軒先間よりも幅狭の長尺形状に設けた固定具本体を有し、前記固定具本体の長手方向の一端部に第一保持部を備え、前記固定具本体の長手方向の他端部に第二保持部を備え、前記固定具本体に前記第一保持部と前記第二保持部との間隔を調整する調整部を備え、前記第一保持部によって前記谷樋の一方の内側面に前記防水シートの一側部分を押し当てて保持し、前記第二保持部によって前記谷樋の他方の内側面に前記防水シートの他側部分を押し当てて保持することを特徴とする。
【０００８】
また、前記第一保持部と前記第二保持部とは、前記谷樋の前記内側面の上部と、前記谷樋の内側底面と前記内側面とのコーナー部分とに、前記防水シートを押し当てて保持することが好ましい。
【０００９】
また、前記固定具本体の前記一端部と前記他端部とにそれぞれ帯保持部を備えた前記シート固定具を、前記谷樋の長手方向に複数配置し、前記谷樋の長手方向に延びた帯状部材を、前記谷樋の長手方向に並んだ各帯保持部に掛け渡して保持し、前記帯状部材によって前記防水シートを前記谷樋の前記内側面に押し当てて保持することが好ましい。
【００１０】
また、カバー材保持部を備えた前記シート固定具を、前記谷樋の長手方向に複数配置し、前記谷樋の長手方向に延びた板状のカバー材を、前記谷樋の長手方向に並んだ各カバー材保持部に掛け渡して保持するとともに、前記カバー材を前記谷樋上方の屋根軒先間の上方に保持することが好ましい。
【発明の効果】
【００１１】
本発明の谷樋改修構造は、谷樋上方の屋根軒先間が狭いところでも対応して改修することができて、既設の谷樋の防水性の回復を図ることができる。
【図面の簡単な説明】
【００１２】
【図１】本発明の実施形態の谷樋改修構造を示す断面図である。
【図２】同上の谷樋改修構造に用いられるシート固定具を示す斜視図である。
【図３】同上の谷樋改修構造に用いられる防水シートが切り出されるシート材を示す斜視図である。
【図４】谷樋受け具、屋根及びカバー材の図示を省略した同上の谷樋改修構造を示す斜視図である。
【図５】図４のＡ部分における帯状部材とシート固定具との接続を示す斜視図である。
【発明を実施するための形態】
【００１３】
以下、本発明を添付図面に示す実施形態に基づいて説明する。
【００１４】
図１に示す本実施形態の谷樋改修構造は、２つの屋根６の軒先が向かい合わせになる部分の下方に配設された既設の谷樋１の改修構造であり、谷樋１の下に設備がある工場や、谷樋１の下に人の行き来がある駅のプラットフォーム等での谷樋１の改修に好適に用いられる。
【００１５】
谷樋１は、屋根６の軒先の先端に沿う方向を長手方向とする角溝であり、底壁と、底壁の両端からそれぞれ上方に向けて延びた側壁と、側壁の上端からそれぞれ外側に向けて延びたフランジ部とから構成されている。この谷樋１は、同じく底壁と側壁とフランジ部とからなる複数の角溝状の谷樋受け具１０によって支持されている。以下、屋根６の軒先の先端に沿う方向、つまり谷樋１の長手方向を前後方向とし、向かい合わせの２つの屋根６が並ぶ方向、つまり谷樋１の短手方向を左右方向として説明を行う。なお、谷樋１は、熱収縮による破損を避けるために前後方向の長さが最長で２０ｍ程度までとなるように形成される。２０ｍ以上の長さが必要な場合は、２つの谷樋１を接続部材（図示せず）で連結したものを用いる。
【００１６】
屋根６は、折半屋根や波型スレート等の屋根であり、金属鋼帯等の受け具１１に支持されている。この受け具１１と屋根６との間に、谷樋１のフランジ部と谷樋受け具１０のフランジ部とが挟まれて、２つの屋根６の軒先間の開口部６０の下方に谷樋１が支持されている。なお、受け具１１と谷樋受け具１０のフランジ部とは溶接やねじ止め等によって固着してもよい。
【００１７】
本実施形態の谷樋改修構造は、この既設の谷樋１の内側に防水シート２を敷き、この防水シート２をシート固定具３によって谷樋１に固定した構造となっている。
【００１８】
防水シート２は、水を通さないゴムなどの可撓性のシート材である。防水シート２としては、図３に示す表面に目印線を設けたコイル状の長尺のシート材から、適当な長さと幅とを切り出したものが好適に用いられる。目印線は、シート材の長手方向に一直線状に延びており、シート材の短手方向に多数平行に所定のピッチで設けられている。この目印線に合わせて切り出すことで、防水シート２は長手方向に亘って所定の幅を容易に確保できる。防水シート２の長さは、谷樋１の長手方向の長さ程度としている。そして、防水シート２の幅は、谷樋１の左右の側壁の内側面の上端部から下端部までの長さと、底壁の内側底面の左右の両端間の長さとを足し合わせた程度としている。なお、防水シート２は、その表面に耐候性の高いアクリルフィルム等を貼り付けたものを用いてもよい。
【００１９】
シート固定具３は、谷樋１上方の屋根軒先間の開口部６０よりも幅狭の長尺形状に設けた固定具本体３０を有し、金属もしくは樹脂、またはこれらを複合したもので形成されている。図２に示す長尺形状の固定具本体３０は、その長手方向つまり左右方向に伸縮自在であり、前後方向の幅が、谷樋１の上方の屋根軒先間の開口部６０よりも幅狭となっている。この固定具本体３０の左端部（長手方向の一方の端部）には、上方に向けて突出する２つの帯保持部３４と、下方に向けて突出する１つの第一保持部３１とが形成されている。また、固定具本体３０の右端部（長手方向の他方の端部）には、上方に向けて突出する２つの帯保持部３４と、下方に向けて突出する１つの第二保持部３２とが形成されている。固定具本体３０の左右端部それぞれの２つの帯保持部３４は前後に離れて並んでいる。固定具本体３０の左右端部は形状が同じであるので、固定具本体３０の右端部の構成について詳しく説明する。
【００２０】
固定具本体３０の右端部の第二保持部３２は、少なくとも、谷樋１の右側の内側面の上部と、谷樋１の内側底面と谷樋１の右側の内側面とのコーナー部とに防水シート２を押し当てることができる。詳しくは、第二保持部３２は、右側の側面（外側面）が、谷樋１の右側の内側面と略平行となるように形成されており、防水シート２を谷樋１の右側の内側面の上部から下端部に亘って押し当てることができる。さらに、第二保持部３２の下端部には、左側（内側）に向けて突出する底押し当て部８を備えている。この底押し当て部８によって、谷樋１の底壁の内側底面の右端部に防水シート２を押し当てることができる。なお、第二保持部３２は、この底押し当て部８を備えていていないものであってもかまわない。
【００２１】
固定具本体３０の右端部の帯保持部３４は、図４に示すように、前後方向に延びた矩形長板状の帯状部材４を保持する部位である。帯保持部３４は、図１に示すように、第二保持部３２よりも若干内側（左側）に位置しており、保持した帯状部材４の右側の側面と、第二保持部３２の右側の側面とが略面一となるように、帯状部材４を保持する。これにより、帯状部材４によって防水シート２の右側の端部（一側部分）を、谷樋１の右側の内側面の上部に、前後方向に亘って押し当てて保持することができる。本実施形態では、帯状部材４は、図５に示すように、前後方向の両端部が折り返し形状となっている。この折り返し部４０を、図４に示すように、帯保持部３４に係止させることによって、帯状部材４を前後方向にずれ難い状態で保持することができる。なお、帯状部材４は、前後方向の両端部に折り返し部４０を備えないものであってもよい。
【００２２】
左右方向（長手方向）に伸縮自在の固定具本体３０は、その左右方向の中央部に、第一保持部３１と第二保持部３２との間隔を調整する調整部３３を備えている。本実施形態では、固定具本体３０は、中央部材３６と、第一保持部３１を左端部に備える左側部材３７と、第二保持部３２を右端部に備える右側部材３８とから構成される。左側部材３７と右側部材３８とがそれぞれ中央部材３６に対して左右方向にスライド自在で且つ左右方向の位置が固定自在となるように接続されることで、上述の調整部３３を構成する。詳しくは、中央部材３６の左右の端部にはそれぞれ、ねじ挿入孔７が穿設されており、左側部材３７の右端部と右側部材３８の左端部には、左右方向に長いスライド孔７１，７２が穿設されている。このねじ挿入孔７とスライド孔７１，７２とは上下方向に合わせて蝶ナット等の固着具７３で連結されている。これにより、左側部材３７と右側部材３８とはそれぞれ、スライド孔７１，７２に沿って左右方向にスライド自在である。そして、この固着具７３をかたく締めることで、左側部材３７と右側部材３８とは中央部材３６に対する左右方向の位置を固定することができる。
【００２３】
左側部材３７上面と右側部材３８上面それぞれのスライド孔７１，７２の周縁部には、前後方向（幅方向）に一直線の目印７４が多数左右方向に平行に等ピッチとなるように設けられている。この目印７４に中央部材３６の左右方向の端面を合わせることで、左側部材３７と右側部材３８とはそれぞれ、中央部材３６に対する左右方向の位置調整を簡単に行うことができる。なお、本実施形態とは逆に、中央部材３６の左右両端部に左右方向に長いスライド孔７１，７２を穿設し、左側部材３７の右端部と右側部材３８の左端部とにそれぞれねじ挿入孔７を穿設してもかまわない。
【００２４】
固定具本体３０の中央部材３６には、上方に延びた矩形板状の上側部材３９が固定されている。上側部材３９の上端部には、前後方向の一方に向けて突出するカバー材保持部３５を備えている。カバー材保持部３５は、後述するカバー材５を保持する部位である。そして、上側部材３９の下端部には、カバー材保持部３５と同方向に向けて突出する固定部９を備えている。固定部９は上面が中央部材３６の中央部下面に固定されており、固定部９の下面は、左側部材３７下面と右側部材３８下面と面一かあるいは、それよりも上方に位置している。これにより上側部材３９が左側部材３７と右側部材３８のスライド移動を邪魔しないようになっている。
【００２５】
上側部材３９は、保持したカバー材５が、谷樋１上方の屋根軒先間の開口部６０上方に位置するように所定の上下長さで形成されている。上側部材３９は、図示しないが、上下方向の長さが伸縮自在となるように形成してもよく、これによれば谷樋１上方の屋根軒先間の開口部６０上方の好適な位置にカバー材５を位置させることができる。
【００２６】
上述したカバー材５は、前後方向に延びた矩形長板状のものであり、カバー材５の下部には、カバー材保持部３５に着脱自在に取り付け可能な取付部５０を備える。カバー材５を、谷樋１上方の屋根軒先間の開口部６０上方に保持することで、この開口部６０から落ち葉等のごみが谷樋１の内側に入り込んでくることを抑制できる。カバー材５としては、遮光性を備えたものを用いてもよく、これによれば谷樋１に固定した防水シート２に直射日光が当たることを抑制して、防水シート２の劣化を抑えることができる。
【００２７】
上述した防水シート２とシート固定具３とを用いて、既設の谷樋１を改修する改修方法の一例について説明する。
【００２８】
まず、既設の谷樋１内を洗浄し、落ち葉や汚れの除去を行う。続いて、２つの屋根軒先間の開口部６０から谷樋１の内側に防水シート２を撓ませて挿入する。ここで、防水シート２は予め谷樋１に合わせて所定の長さ及び幅に切り出したものを用いる。
【００２９】
そして、防水シート２を広げて、谷樋１の右側の側壁の内側面から底壁の内側底面、そして、左側の側壁の内側面へと沿わせる。なお、谷樋１の長手方向の端部では、防水シート２を八千代折にして止めつける等して、その端部の内面を防水シート２で覆うようにする。
【００３０】
そして、シート固定具３の上端のカバー材保持部３５を掴み、シート固定具３の固定具本体３０の長手方向と谷樋１の長手方向とが平行になるようにして、開口部６０からシート固定具３を谷樋１の内側へと挿入する。その後、固定具本体３０を回転させ、谷樋１の左右の内側面に第一保持部３１と第二保持部３２とをそれぞれ対向させる。
【００３１】
そして、シート固定具３の第一保持部３１と第二保持部３２の下端の底押し当て部８を、防水シート２を介して谷樋１の底壁の内側底面に押し当てながら、調整部３３によって第一保持部３１と第二保持部３２との間隔を広げていく。つまり、中央部材３６に対して、左側部材３７を左側にスライドさせ、右側部材３８を右側にスライドさせる。そして、第一保持部３１が、防水シート２を介して谷樋１の左側の内側面に押し当り、第二保持部３２が、防水シート２を介して谷樋１の右側の内側面に押し当った状態で、固着具７３をかたく締め、第一保持部３１と第二保持部３２との間隔を固定する。このとき、シート固定具３の第一保持部３１と第二保持部３２の下端の底押し当て部８はそれぞれ、防水シート２を介して谷樋１の底壁の内側底面の左右端部に押し当たる。なお、上述した第一保持部３１と第二保持部３２との間隔の調整は、固定具本体３０の中央部材３６が谷樋１上方の屋根軒先間の開口部６０の左右方向の中央に位置する状態を保ちながら行うことが好ましい。このようにすれば、カバー材保持部３５を、開口部６０の左右方向の中央に位置させることができる。
【００３２】
上述したような手順で、複数のシート固定具３を、谷樋１の長手方向に所定の間隔をおきながら配置する。ここで、隣り合うシート固定具３の各帯保持部３４に帯状部材４の折り返し部４０を係止させることができるように各シート固定具３間の間隔を設定する。
【００３３】
そして、谷樋１の長手方向に並んだ複数のシート固定具３の各帯保持部３４に、帯状部材４を掛け渡して係止させて保持させる。さらに、この谷樋１の長手方向に並んだ複数のシート固定具３のカバー材保持部３５に、カバー材５の取付部５０を取り付け、このカバー材５によって屋根軒先間の開口部６０上方を覆う。
【００３４】
以上まとめると、本実施形態の谷樋改修構造は、既設の谷樋１の内側に敷いた可撓性の防水シート２をシート固定具３で谷樋１に固定した谷樋改修構造である。シート固定具３は、谷樋１上方の屋根軒先間よりも幅狭の長尺形状に設けた固定具本体３０を有し、固定具本体３０の長手方向の一端部に第一保持部３１を備え、固定具本体３０の長手方向の他端部に第二保持部３２を備え、固定具本体３０に第一保持部３１と第二保持部３２との間隔を調整する調整部３３を備える。そして、第一保持部３１によって谷樋１の一方の内側面に防水シート２の一側部分を押し当てて保持し、第二保持部３２によって谷樋１の他方の内側面に防水シート２の他側部分を押し当てて保持している。
【００３５】
このように谷樋１の改修に、可撓性の防水シート２と、谷樋１上方の屋根軒先間よりも幅狭の長尺形状のシート固定具３とを用いることで、屋根軒先間が狭くてもそれに対応して、谷樋１の内側に防水シート２とシート固定具３とを入れて改修作業を行うことができる。この谷樋１内側に入れたシート固定具３を回転させ、調整部３３により第一保持部３１と第二保持部３２との間隔を広げることによって、第一保持部３１と第二保持部３２とで防水シート２を谷樋１の両内側面に固定して、谷樋１内側を防水シート２で覆うことができる。よって、上述した本実施形態の谷樋改修構造は、屋根軒先間が狭いところでも対応して改修することができて、既設の谷樋１の防水性の回復を図ることができる。
【００３６】
また、本実施形態の谷樋改修構造では、第一保持部３１と第二保持部３２とは、谷樋１の内側面の上部と、谷樋１の内側底面と内側面とのコーナー部とに、防水シート２を押し当てて保持している。
【００３７】
このような構成とすることで、本実施形態の谷樋改修構造では、シート固定具３によって防水シート２を谷樋１の内側の面に近い形状で谷樋１に固定することができる。これにより、防水シート２で覆われた谷樋１は、もともとの形状と略変わらない状態で、防水性の回復を図ることができる。
【００３８】
また、本実施形態の谷樋改修構造では、固定具本体３０の一端部と他端部とにそれぞれ帯保持部３４を備えたシート固定具３を、谷樋１の長手方向に複数配置している。そして、谷樋１の長手方向に延びた帯状部材４を、谷樋１の長手方向に並んだ各帯保持部３４に掛け渡して保持し、帯状部材４によって防水シート２を谷樋１の内側面に押し当てて保持している。
【００３９】
このような構成とすることで、複数のシート固定具３と、この複数のシート固定具３の長手方向に並んだ各帯保持部３４に掛け渡して保持した帯状部材４とによって、防水シート２を谷樋１に長手方向に亘って固定することができる。これにより、シート固定具３間の防水シート２のたれ落ちを抑制して、谷樋１の防水性の回復を長手方向に亘って図ることができる。
【００４０】
また、本実施形態の谷樋改修構造では、カバー材保持部３５を備えたシート固定具３を、谷樋１の長手方向に複数配置している。そして、谷樋１の長手方向に延びたカバー材５を、谷樋１の長手方向に並んだ各カバー材保持部３５に掛け渡して保持するとともに、カバー材５を谷樋１上方の屋根軒先間の上方に保持している。
【００４１】
このような構成とすることで、複数のシート固定具３の長手方向に並んだ各カバー材保持部３５に掛け渡して保持したカバー材５によって、谷樋１上方の屋根軒先間の上方を覆うことができる。これにより、この屋根軒先間から谷樋１内へと落ち葉等のごみが入り込むことを抑制できる。また、カバー材５として遮光性のものを用いれば、谷樋１に固定した防水シート２に日光が直射されることを抑制できるので、防水シート２の劣化を抑えて谷樋１の防水性を長期に亘って保持することができる。
【００４２】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４３】
１      谷樋
２      防水シート
３      シート固定具
３０    固定具本体
３１    第一保持部
３２    第二保持部
３３    調整部
３４    帯保持部
３５    カバー材保持部
４      帯状部材
５      カバー材
６      屋根
【図１】
0005542096.tif 000002
【図２】
0005542096.tif 000003
【図３】
0005542096.tif 000004
【図４】
0005542096.tif 000005
【図５】
0005542096.tif 000006